(57)【要約】【課題】小型でピンの角度も自由に設定できる創外固定器を提供する。【解決手段】骨に刺入する複数のピン２１と、これらのピン２１にそれぞれ嵌着して相互に回動可能に結合した複数のボールジョイント手段２２と、これらのボールジョイント手段２２をそれぞれ固定することで複数のピン２１間を固定する固定ねじ２３とを具備している。そして、各ピン２１を骨に刺入するときは、固定ねじ２３を弛めることで、ボールジョイント手段２２を回動可能として、ピン２１の角度を自由に設定できる。ピン２１を骨に刺入した後は、各固定ねじ２３により各ボールジョイント手段２２を固定することで、各ピン２１間を相互に固定できる。ボールジョイント手段２２により創外固定器１３の小型化を図れ、従来は小さくて適用不可能であった骨片の固定にも適用できる。【選択図】        図１
2004298253.tif 000002
【特許請求の範囲】
【請求項１】
骨に刺入される複数のピンと、
複数のピンにそれぞれ嵌着され相互に回動可能に結合された複数のボールジョイント手段と、
複数のボールジョイント手段をそれぞれ固定することで複数のピン間を固定する固定手段と
を具備したことを特徴とする創外固定器。
【請求項２】
ボールジョイント手段は、
ピンが挿入されるピン孔を割溝の中に形成したボール部と、
ボール部と一体形成され隣接する他のボール部に回動可能に嵌合される球面穴を有し球面穴の一部を割溝により切欠いた球面軸受部とを具備し、
固定手段は、球面軸受部の割溝を締付けることにより球面軸受部とボール部とを固定するとともにボール部とピンとを固定する固定ねじである
ことを特徴とする請求項１記載の創外固定器。
【請求項３】
ボールジョイント手段は、
隣接する一方のボールジョイント手段の球面軸受部の割溝および固定ねじが、ボール部の中心軸と球面穴の中心軸とを含む面に対し、一側に位置するとともに、隣接する他方のボールジョイント手段の球面軸受部の割溝および固定ねじが、ボール部の中心軸と球面穴の中心軸とを含む面に対し、他側に位置するように形成された
ことを特徴とする請求項２記載の創外固定器。
【請求項４】
ボールジョイント手段は、
隣接する一方のボールジョイント手段の球面軸受部が、隣接する他方のボールジョイント手段のボール部を抱きかかえるように、相互に隣接するボールジョイント手段が一部オーバーラップする
ことを特徴とする請求項２または３記載の創外固定器。
【発明の詳細な説明】
【０００１】
【発明の属する技術分野】
本発明は、整形外科領域に用いられる創外固定器に関する。
【０００２】
【従来の技術】
創外固定方式の骨折治療器具として、棒状部材と、その両端に配設する一対の支持体と、一方の支持体に保持される２〜４本のピンと、他方の支持体に保持される２〜６本のピンとを有する創外固定器が知られている（例えば、特許文献１参照）。
【０００３】
【特許文献１】
特開２００２−１７２１１９号公報（第３頁、図３）
【０００４】
【発明が解決しようとする課題】
このような従来の創外固定器は、２つの支持体およびこれらの支持体を連結する構造が大型になり、装着感が良くないとともに、小さな骨折部位には適用不可能である。また、各ピンの角度に自由度がなく、取扱いが容易でない。
【０００５】
すなわち、この従来例を含め従来の創外固定器では、骨折線をまたいだ各骨片に対してピンを２〜６本刺入し、各骨片の整復を行うこととしているが、骨片が小さく粉砕ぎみの場合は、ピンを刺入してもピンにより各骨片の整復位を保持すること自体が非常に難しく適用不可能であった。
【０００６】
本発明は、このような点に鑑みなされたもので、小型でピンの角度も自由に設定でき、骨片が小さく粉砕ぎみの場合であっても、各骨片の整復位を保持することが可能な創外固定器を提供することを目的とするものである。
【０００７】
【課題を解決するための手段】
請求項１に記載された発明は、骨に刺入される複数のピンと、複数のピンにそれぞれ嵌着され相互に回動可能に結合された複数のボールジョイント手段と、複数のボールジョイント手段をそれぞれ固定することで複数のピン間を固定する固定手段とを具備した創外固定器であり、各ピンを骨に刺入するときは、固定手段を固定解除することで、各ボールジョイント手段を回動可能として、各ピンの角度を自由に設定でき、各ピンの取扱いを容易にできるとともに、ピンを骨に刺入した後は、固定手段によりボールジョイント手段を固定することで、各ピン間を相互に固定できる創外固定器を提供できる。また、ボールジョイント手段によりピン間を直接結合することで、創外固定器の小型化を図れ、従来は小さくて適用不可能であった骨片の固定にも適用できる。そして、ピン刺入前に骨片間の整復位が一時的に得られる場合には、本創外固定器のボールジョイント手段を用いて、骨折線をまたいで３次元的にピンを刺入することが可能なため、一方の骨片が粉砕ぎみであっても、創外固定法を用いて各骨片の整復位を保持することが可能となる。
【０００８】
請求項２に記載された発明は、請求項１記載の創外固定器におけるボールジョイント手段が、ピンが挿入されるピン孔を割溝の中に形成したボール部と、ボール部と一体形成され隣接する他のボール部に回動可能に嵌合される球面穴を有し球面穴の一部を割溝により切欠いた球面軸受部とを具備し、固定手段は、球面軸受部の割溝を締付けることにより球面軸受部とボール部とを固定するとともにボール部とピンとを固定する固定ねじであり、これにより、固定ねじで球面軸受部の割溝を締付けることにより、球面軸受部の球面穴とこの球面穴に嵌合されたボール部とを固定できるとともに、ボール部の割溝の中に形成されたピン孔とこのピン孔に挿入されたピンとを同時に固定でき、これらを別々に固定する場合と比較して操作性を向上できる。
【０００９】
請求項３に記載された発明は、請求項２記載の創外固定器におけるボールジョイント手段において、隣接する一方のボールジョイント手段の球面軸受部の割溝および固定ねじが、ボール部の中心軸と球面穴の中心軸とを含む面に対し、一側に位置するとともに、隣接する他方のボールジョイント手段の球面軸受部の割溝および固定ねじが、ボール部の中心軸と球面穴の中心軸とを含む面に対し、他側に位置するように形成されたものであり、このように、隣接するボールジョイント手段の固定ねじが、ピンの一側および他側に交互に位置するので、隣接する固定ねじの間に十分な固定ねじ回動操作用のスペースを確保でき、固定ねじの回動操作を容易にできる。
【００１０】
請求項４に記載された発明は、請求項２または３記載の創外固定器におけるボールジョイント手段において、隣接する一方のボールジョイント手段の球面軸受部が、隣接する他方のボールジョイント手段のボール部を抱きかかえるように、相互に隣接するボールジョイント手段が一部オーバーラップするものであり、このように、隣接する一方のボールジョイント手段の球面軸受部が他方のボールジョイント手段のボール部を抱きかかえるように、隣接するボールジョイント手段どうしを一部オーバーラップさせることにより、ピンとピンとの間隔を小さく設定でき、創外固定器の全体をコンパクトに構成できる。
【００１１】
【発明の実施の形態】
以下、本発明の一実施の形態を図１乃至図６を参照しながら説明する。
【００１２】
図１は、橈骨１１の遠位端１２を骨折した場合の創外固定器１３による治療例を示し、橈骨１１に隣接する尺骨１４に刺入することなく橈骨１１に直接刺入された複数のピン２１と、これらの複数のピン２１にそれぞれ嵌着され相互に回動可能に結合された複数のボールジョイント手段２２と、これらの複数のボールジョイント手段２２をそれぞれ固定することで複数のピン２１間を固定する固定手段としての固定ねじ２３とを具備している。
【００１３】
図２および図３に示されるように、前記ボールジョイント手段２２は、ピン２１が挿入されるピン孔２４を割溝２５の中に形成したボール部２６と、このボール部２６に首部２７を介し一体形成された球面軸受部２８とを具備している。これらのボール部２６および球面軸受部２８は、例えばアルミニューム合金などを切削加工して一体に成形する。
【００１４】
ピン孔２４は、ボール部２６、首部２７および球面軸受部２８を貫通して設けられ、また、割溝２５は、ボール部２６から首部２７にわたって設けられ、この割溝２５により確保された首部２７の可撓性によりボール部２６の縮径が可能となっている。
【００１５】
球面軸受部２８は、隣接する他のボール部２６に回動可能に嵌合される球面穴３１を有し、球面穴３１の一部を割溝３２により切欠いたものである。さらに、この球面軸受部２８は、割溝３２が設けられた部分に対し球面穴３１の反対側に突出部３３が設けられ、この突出部３３に対しボール部２６の首部２７が直角に形成されている。
【００１６】
球面軸受部２８には、球面穴３１の周囲に設けられた薄肉円弧状部３４の接線方向に形成されたねじ挿入部３５と、このねじ挿入部３５に対し肉厚に形成されたねじ孔形成部３６とが、割溝３２を介し対向して設けられ、ねじ挿入部３５に穿設されたねじ挿入孔３７（図３）より、ねじ孔形成部３６に形成されたねじ孔３８に、固定ねじ２３が螺入されている。
【００１７】
この固定ねじ２３は、球面軸受部２８の割溝３２を締付けることにより、球面穴３１を縮径させて、この球面穴３１の内面とボール部２６とを固定するとともに、割溝２５により縮径可能なボール部２６を縮径させて、そのピン孔２４の内面とピン２１とを固定するものである。
【００１８】
ピン２１は、図３に示されるように、先端に穿孔刃４１およびねじ溝４２が形成されている。
【００１９】
図３に示されるように、一端のボールジョイント手段２２ａは、球面軸受部２８のみが設けられ、ボール部２６が設けられていない。また、他端のボールジョイント手段２２ｂは、ボール部２６のみが設けられ、球面軸受部２８が設けられていない。
【００２０】
図４に示されるように、一連のボールジョイント手段２２は、隣接する一方のボールジョイント手段２２の球面軸受部２８の割溝３２および固定ねじ２３が、ボール部２６の中心軸と球面穴３１の中心軸とを含む面に対し、一側に位置するとともに、隣接する他方のボールジョイント手段２２の球面軸受部２８の割溝３２および固定ねじ２３が、ボール部２６の中心軸と球面穴３１の中心軸とを含む面に対し、他側に位置するように形成されている。
【００２１】
これにより、図５に示されるように、隣接するボールジョイント手段２２のねじ孔３８および固定ねじ２３が、ピン２１の一側および他側に交互に位置するので、隣接する固定ねじ２３の間に十分な固定ねじ回動操作用のスペースを確保でき、固定ねじ２３の回動操作を容易にできる。
【００２２】
さらに、図６に示されるように、隣接する相対的に上方のボールジョイント手段２２の球面軸受部２８が、隣接する相対的に下方のボールジョイント手段２２のボール部２６を抱きかかえるように、相互に隣接するボールジョイント手段２２が一部オーバーラップするように構成されている。
【００２３】
このように、隣接する一方のボールジョイント手段２２の球面軸受部２８が他方のボールジョイント手段２２のボール部２６を抱きかかえるように、隣接するボールジョイント手段２２どうしを一部オーバーラップさせることにより、ピン２１とピン２１との間隔を小さく設定でき、創外固定器１３の全体をコンパクトに構成できる。
【００２４】
次に、この図示された実施の形態の作用効果を説明する。
【００２５】
図１に示されるように、各ピン２１を骨折部位に刺入するときは、各固定ねじ２３を弛めることにより、各ボールジョイント手段２２，２２ａの球面軸受部２８の薄肉円弧状部３４が持つ復元力により球面穴３１が拡径するので、各ボールジョイント手段２２，２２ａの球面軸受部２８に対しボール部２６が回動可能となるとともに、球面穴３１の締付力から解放されたボール部２６が首部２７の復元力で拡径して、ピン孔２４が拡大するので、各ボール部２６のピン孔２４に対しピン２１の脱着が可能となる。
【００２６】
したがって、各ピン２１を骨折部位に刺入するときは、球面軸受部２８に対し回動可能のボール部２６などに挿入された各ピン２１の角度を自由に設定でき、各ピン２１の取扱いを容易にできる。
【００２７】
また、ピン２１を骨折部位に刺入した後は、固定ねじ２３によりボールジョイント手段２２を締付固定することで、各ピン２１間を相互に固定できる。
【００２８】
すなわち、固定ねじ２３で球面軸受部２８の割溝３２を締付けることにより、球面軸受部２８の球面穴３１と、この球面穴３１に嵌合されたボール部２６とを固定できるとともに、ボール部２６の割溝２５の中に形成されたピン孔２４と、このピン孔２４に挿入されたピン２１とを同時に固定でき、これらを別々に固定する場合と比較して操作性を向上できる。
【００２９】
また、隣接するボールジョイント手段２２の固定ねじ２３が、図５に示されるようにピン２１の一側および他側に交互に位置するので、隣接する固定ねじ２３の間に十分な固定ねじ回動操作用のスペースを確保でき、固定ねじ２３の回動操作を容易にできる。
【００３０】
さらに、ボールジョイント手段２２により創外固定器１３の小型化を図れ、従来は小さくて適用不可能であった骨折部位にも、この創外固定器１３を適用できる。
【００３１】
特に、図６に示されるように、隣接する一方のボールジョイント手段２２の球面軸受部２８が他方のボールジョイント手段２２のボール部２６を抱きかかえるように、隣接するボールジョイント手段２２どうしを一部オーバーラップさせることにより、ピン２１とピン２１との間隔を小さく設定でき、細いピン２１を小さな骨折部位に数多く刺入できるとともに、創外固定器１３の全体をコンパクトに構成できる。
【００３２】
図１に例示されるような橈骨１１の骨折治療では、橈骨１１の骨折部位をピン２１のみで治療することも可能であり、その場合は、尺骨１４を貫通させたピン２１を橈骨１１の骨折部位に刺入することで、ピン２１を固定しているが、固定ねじ２３により固定された一連のボールジョイント手段２２が、尺骨１４の代わりにピン２１を固定するので、ピン２１を尺骨１４に通す必要がなくなり、尺骨１４の損傷を防止できるとともに、橈骨１１に対する尺骨１４の運動が可能となる。
【００３３】
なお、本創外固定器１３は、図１に示された橈骨１１の遠位端１２を骨折した場合の治療例に用途を限定されるものではなく、他の骨折部位にも適用できることは言うまでもない。
【００３４】
特に、ピン刺入前に骨片間の整復位が一時的に得られる場合には、本創外固定器１３のボールジョイント手段２２を用いて、骨折線をまたいで３次元的にピン２１を刺入することが可能なため、一方の骨片が粉砕ぎみであっても、創外固定法を用いて、各骨片の整復位を保持することが可能となる。
【００３５】
【発明の効果】
請求項１記載の発明によれば、各ピンを骨に刺入するときは、固定手段を固定解除することで、各ボールジョイント手段を回動可能として、各ピンの角度を自由に設定でき、各ピンの取扱いを容易にできるとともに、ピンを骨に刺入した後は、固定手段によりボールジョイント手段を固定することで、各ピン間を相互に固定できる創外固定器を提供できる。また、ボールジョイント手段によりピン間を直接結合することで創外固定器の小型化を図れ、従来は小さくて適用不可能であった骨片の固定にも適用できる。そして、ピン刺入前に骨片間の整復位が一時的に得られる場合には、本創外固定器のボールジョイント手段を用いて、骨折線をまたいで３次元的にピンを刺入することが可能なため、一方の骨片が粉砕ぎみであっても、創外固定法を用いて、各骨片の整復位を保持することが可能となる。
【００３６】
請求項２記載の発明によれば、固定ねじで球面軸受部の割溝を締付けることにより、球面軸受部の球面穴とこの球面穴に嵌合されたボール部とを固定できるとともに、ボール部の割溝の中に形成されたピン孔とこのピン孔に挿入されたピンとを同時に固定でき、これらを別々に固定する場合と比較して操作性を向上できる。
【００３７】
請求項３記載の発明によれば、隣接するボールジョイント手段の固定ねじが、ピンの一側および他側に交互に位置するので、隣接する固定ねじの間に十分な固定ねじ回動操作用のスペースを確保でき、固定ねじの回動操作を容易にできる。
【００３８】
請求項４記載の発明によれば、隣接する一方のボールジョイント手段の球面軸受部が他方のボールジョイント手段のボール部を抱きかかえるように、隣接するボールジョイント手段どうしを一部オーバーラップさせることにより、ピンとピンとの間隔を小さく設定でき、創外固定器の全体をコンパクトに構成できる。
【図面の簡単な説明】
【図１】本発明に係る創外固定器の一実施の形態を示す使用状態の斜視図である。
【図２】同上創外固定器のピン以外の拡大斜視図である。
【図３】同上創外固定器の分解斜視図である。
【図４】同上創外固定器の平面図である。
【図５】同上創外固定器の背面図である。
【図６】同上創外固定器の側面図である。
【符号の説明】
２１    ピン
２２    ボールジョイント手段
２３    固定手段としての固定ねじ
２４    ピン孔
２５    割溝
２６    ボール部
２８    球面軸受部
３１    球面穴
３２    割溝
【図１】
2004298253.tif 000003
【図２】
2004298253.tif 000004
【図３】
2004298253.tif 000005
【図４】
2004298253.tif 000006
【図５】
2004298253.tif 000007
【図６】
2004298253.tif 000008